(57)【要約】【課題】黒板の枠組形状を変えることにより黒板の裏桟及び裏桟枠の構造を強化し、この強化された構造を有する黒板を取り付けることによって黒板を取り付ける壁面を補強して耐震性や耐風荷重性を高める補強材を兼ねることができる黒板を提供するものである。【解決手段】壁面の下地を形成する間隔をおいて立設された柱に黒板１の上部と下部が、前記柱にビスで固定される垂直部と前記黒板にビスで固定される水平部からなる縦断面Ｌ型の形状をした取付金具で取り付けられる黒板において、黒板１が黒板用鋼板を貼り付けた合板２の裏側に矩形の裏桟枠３とその枠内の複数の裏桟４が設けられ、裏桟枠３と裏桟４で形成される枠内に裏桟枠３と裏桟４を結合する補強材５が固定されている壁面の補強材を兼ねる黒板。裏桟枠３と裏桟４を結合する補強材６，７，８は裏桟枠３と裏桟４で形成される四隅に配置してもよい。【選択図】図１
0003138302.tif 000002
【実用新案登録請求の範囲】
【請求項１】
壁面の下地を形成する間隔をおいて立設された柱に黒板の上部と下部が、前記柱にビスで固定される垂直部と前記黒板にビスで固定される水平部からなる縦断面Ｌ型の形状をした取付金具で取り付けられる黒板において、
黒板が黒板用鋼板を貼り付けた合板の裏側に矩形の裏桟枠とその枠内の複数の裏桟が設けられ、前記裏桟枠と裏桟で形成される枠内に前記裏桟枠と裏桟を結合する補強材が固定されていることを特徴とする壁面の補強材を兼ねる黒板。
【請求項２】
前記裏桟枠と裏桟を結合する補強材が裏桟枠と裏桟で形成される四隅に配置されていることを特徴とする請求項１記載の壁面の補強材を兼ねる黒板。
【請求項３】
前記取付金具の垂直部には縦方向に間隔をおいてタップビスを通す長孔が二列形成され、水平部には間隔をおいてタップビスを通す一対の孔が形成されていることを特徴とする請求項１又は２記載の壁面の補強材を兼ねる黒板。
【考案の詳細な説明】
【技術分野】
【０００１】
本考案は、学校の教室、プレハブ教室、会議室などの黒板を取り付ける壁面を補強して耐震性や耐風荷重性を高めることができる壁面の補強材を兼ねる黒板に関する。
【背景技術】
【０００２】
学校の教室、プレハブ教室、会議室などでは、壁面に黒板が取り付けられている。学校で教授用に使用される黒板は、ＪＩＳ  Ｓ  ６００７（２００４）に準拠して製作されている。
【０００３】
図４（ａ）は従来の黒板の裏側を示す図、（ｂ）はプレハブ教室に黒板を取り付けた状態を示す図、（ｃ）は黒板の取付金具の斜視図である。
【０００４】
図４（ａ）に示すように、黒板１の構造は、黒板面が形成された黒板用鋼板を貼り付けた合板（いわゆる二層貼材）２と、その補強材として形成される矩形の裏桟枠３とその枠内の複数の裏桟４とによって構成されている。裏桟４は、幅寸法（Ｌ）３６０ｍｍ以内に黒板の縦方向に一本もしくはフラッシュ式でペーパーコアを用いた場合は、幅寸法（Ｌ）１８０００ｍｍ以内に黒板１の縦方向に一本組み立てられる。
【０００５】
図４（ｂ）に示すように、プレハブ教室は、床材の回りに間隔をおいて壁面の下地を形成する軽量鉄材の鉄柱９が立設されている。隣り合う鉄柱９どうしはブレース１０で接合されて耐震性を持たせた構造となっている。鉄柱９の間には外壁パネル１１が挟まれ、固定されている。
【０００６】
壁面への黒板１の取り付けは、壁面の下地を形成する鉄柱９に、図３（ｃ）に示す厚さ２．３ｍｍ〜３．２ｍｍ、形状３０ｍｍ×６０ｍｍ程度のＬ型の取付金具１２を壁面の上下にタップビスなどにより取り付け、この上下に取り付けられた取付金具１２の中に黒板１を配置し、黒板とこの取付金具１２とをタップビス３．５ｍｍ×２５ｍｍ程度によりビス止めして取り付けられ、この場合の黒板１の裏桟枠３及び裏桟４の構造は、黒板のベースとなる地板の裏打ち材としてのみ構成される。
【０００７】
取付金具１２は垂直部１３と水平部１４からなる縦断面形状がＬ型をした形状に形成されている。取付金具１２の垂直部１３には、タップビス１５を通す長孔１６が縦方向に１列形成されている。この長孔１６にタップビスを通して鉄柱に予め形成された孔にねじ込んで取付金具１２が鉄柱９に固定される。取付金具１２の水平部１４にもタップビスを通す孔１７が形成されている。
【非特許文献１】ＪＩＳ  Ｓ  ６００７（２００４）
【考案の開示】
【考案が解決しようとする課題】
【０００８】
従来、プレハブ教室などの壁面は壁面自体で耐震性や耐風荷重性を持たせるようにしている。したがって、壁面に取り付ける黒板を利用して耐震性や耐風荷重性を高めることはされてないので、黒板の枠組形状は壁面の耐震性や耐風荷重性を高めるための構造とはなっていない。
【０００９】
そこで、本考案は、黒板の枠組形状を変えることにより黒板の裏桟及び裏桟枠の構造を強化し、この強化された構造を有する黒板を取り付けることによって黒板を取り付ける壁面を補強して耐震性や耐風荷重性を高める補強材を兼ねることができる黒板を提供するものである。
【課題を解決するための手段】
【００１０】
本考案の壁面の補強材を兼ねる黒板は、壁面の下地を形成する間隔をおいて立設された柱に黒板の上部と下部が、前記柱にビスで固定される垂直部と前記黒板にビスで固定される水平部からなる縦断面Ｌ型の形状をした取付金具で取り付けられる黒板において、黒板が黒板用鋼板を貼り付けた合板の裏側に矩形の裏桟枠とその枠内の複数の裏桟が設けられ、前記裏桟枠と裏桟で形成される枠内に前記裏桟枠と裏桟を結合する補強材が固定されていることを特徴とする。
【００１１】
前記裏桟枠と裏桟を結合する補強材は裏桟枠と裏桟で形成される四隅に配置してもよい。また、前記取付金具の垂直部には縦方向に間隔をおいてタップビスを通す長孔が二列形成され、水平部には間隔をおいてタップビスを通す孔が形成されている取付金具を利用することができる。
【考案の効果】
【００１２】
本考案は、強度が従来の黒板に比べて高い黒板が柱に固定されることにより、柱どうしが補強剤を兼ねる黒板により強固に結合されているので、壁の耐震性、耐風荷重性をより高めることができる。  
【考案を実施するための最良の形態】
【００１３】
本考案の実施例について図面を参照しながら説明する。
【実施例１】
【００１４】
図１（ａ）〜（ｄ）は本考案による強度を高めた各種の黒板の裏側の構造を示す図である。
【００１５】
図１（ａ）において、黒板１は、黒板用鋼板を貼り付けた合板２とその補強として形成される矩形の裏桟枠３とその枠内の複数の裏桟４とによって構成されている。
【００１６】
さらに、裏桟枠３と裏桟４で形成される枠内に筋交いによる補強材５が裏桟枠３と裏桟４に結合されている。
【００１７】
裏桟枠３と裏桟４に結合される補強材は、図１（ｂ）〜（ｄ）に示すように、四隅で裏桟枠３と裏桟４を結合する斜材による補強材６、三角板状補強材７、Ｌ字形補強材８などを利用することができる。
【００１８】
補強材５，６，７，８により裏桟枠３と裏桟４が固定された枠組み構造となるので、従来の黒板に比べて黒板の強度が高められる。
【００１９】
図２はプレハブ教室内の壁に黒板の取り付けた状態を示す正面図であり、図３（ａ）は黒板の取り付け構造を示す断面図、（ｂ）は取付金具の斜視図である。
【００２０】
図２（ａ）において、プレハブハウスは、間隔をおいて鉄柱９が立設され、隣り合う鉄柱９どうしはブレース１０により接合されている。鉄柱間に外壁パネル１１が取り付けられている。
【００２１】
壁面の補強材として利用する本考案による黒板１は、その上部と下部が取付金具１２により鉄柱９へ固定される。
【００２２】
図３において、取付金具１２は垂直部１３と水平部１４からなる縦断面形状がＬ型をした形状に形成されている。取付金具１２の垂直部１３には、タップビス１５を通す長孔１６が縦方向に２列形成されている。この長孔１６にタップビス１５を通して鉄柱９に予め形成された孔にねじ込んで取付金具１２が鉄柱９に固定される。長孔１６により黒板の大きさに応じて取付金具１２の高さを調整することができる。取付金具１２の水平部１４にもタップビス１５を通す孔１７が一対形成されている。この孔１７にタップビス１５を通して水平部１４に載せられた黒板１の下部の裏桟枠３に予め形成された孔にねじ込んで黒板１の下部が固定される。
【００２３】
黒板１の上部を固定する取付金具１２も、下部の取付金具１２と同様に、垂直部１３と水平部１４とからなるＬ型をした取付金具１２を使用する。予め鉄柱９にタップビス１５で垂直部１３が固定される。
【００２４】
黒板１の取り付けは、鉄柱９の上下に黒板１の縦の長さに合わせて取付金具１２をタップビス１５で固定し、上下の取付金具１２の間に黒板１を入れ込む。その後、上下の取付金具１２の水平部１４の孔１７にタップビス１５を通して黒板１の裏桟枠３に予め形成されたネジ孔にねじ込んで黒板１の上部及び下部を固定する。
【００２５】
本考案では、鉄柱９どうしがブレース１０で接合されるだけでなく、さらに鉄柱９どうしが取付金具１２で耐震構造の黒板１により結合されているので、ブレース１０のみの場合よりも耐震性がより向上する。
【００２６】
本実施例では、黒板の両側に掲示板１８が配置されている。
【００２７】
掲示板１８の上部及び下部を固定する際も、黒板１の固定と同じく垂直部１３と水平部１４とからなる縦断面形状がＬ型をした取付金具１２を使用し、タップビス１５によりおこなう。取付金具１２の水平部１４の孔１７のうち、一方の孔１７を黒板の固定に使用し、他方の孔１７を掲示板１８の固定に利用する。なお、掲示板１８も黒板１と同様に、図１に示すように、裏桟枠と裏桟で形成される枠内に筋交いによる補強材を裏桟枠と裏桟に結合したり、四隅で裏桟枠と裏桟を結合する斜材による補強材、三角板状補強材、Ｌ字形補強材を設けてもよい。
【００２８】
黒板１に加えて掲示板１８を固定することにより、固定される鉄柱９の数増えるので、ブレース１０のみに比べて、壁面の耐震強度がより増加する。
【実施例２】
【００２９】
図２（ｂ）は本考案のさらに別の実施例であり、図２（ａ）と同一部材には同一符号を付してその説明は省略する。
【００３０】
本実施例は、黒板１及び黒板１の両側の掲示板１８の上にさらに横長の上部掲示板１９が配置されている。
【００３１】
本実施例において、上部掲示板１９の上部の固定は、実施例１の黒板１、掲示板１８の固定と同じく、垂直部１３と水平部１４とからなる縦断面形状がＬ型をした取付金具１２により行う。上部掲示板１９の下部の固定は、取付金具１２を使用すると隙間ができるので、上部掲示板１９の下部に予めタップビスを通す孔２０を形成するとともに、鉄柱９にもネジ孔を形成し、タップをねじ込んで行う。なお、上部掲示板１９も黒板１と同様に、図１に示すように、裏桟枠と裏桟で形成される枠内に筋交いによる補強材を裏桟枠と裏桟に結合したり、四隅で裏桟枠と裏桟を結合する斜材による補強材、三角板状補強材、Ｌ字形補強材を設けてもよい。
【００３２】
本実施例では、鉄柱９へ黒板１に加えて掲示板１８及び上部掲示板１９が固定されることにより、固定される鉄柱９の数が増えるとともに、鉄柱９の縦方向の固定箇所も増えるので、ブレース１０のみに比べて、耐震性がより増加する。
【図面の簡単な説明】
【００３３】
【図１】（ａ）〜（ｄ）は本考案による強度を高めた各種の黒板の裏側の構造を示す図である。
【図２】プレハブ教室内の壁に本考案の黒板の取り付けた状態を示す正面図である。
【図３】本考案の黒板の取り付け構造を示す断面図、（ｂ）は取付金具の斜視図である。
【図４】（ａ）は従来の黒板の裏側を示す図、（ｂ）はプレハブ教室に黒板を取り付けた状態を示す図、（ｃ）は黒板の取付金具の斜視図である。
【符号の説明】
【００３４】
１：黒板
２：合板
３：裏桟枠
４：裏桟
５：補強材
６：斜材による補強材
７：三角板状補強材
８：Ｌ字形補強材
９：鉄柱
１０：ブレース
１１：外壁パネル
１２：取付金具
１３：垂直部
１４：水平部
１５：タップビス
１６：長孔
１７：孔
１８：掲示板
１９：上部掲示板
２０：孔
【図１】
0003138302.tif 000003
【図２】
0003138302.tif 000004
【図３】
0003138302.tif 000005
【図４】
0003138302.tif 000006